(57)【要約】【課題】  多様な表現が可能な動画像を配信することができる動画像配信システムを提供する。【解決手段】  動画像の送信者は、送信側端末１２により、動画像配信サーバ１４に画像データやテキストデータ等の動画像再生アプリケーションの作成に使用するデータをアップロードするとともに、動画像再生アプリケーションの作成する際にテンプレートとして使用する動画像作成プログラムを選択する。動画像配信サーバ１４は、上記選択された動画像作成プログラムを上記アップロードされたデータに適用して動画像再生アプリケーションを作成して所定の記憶領域に格納する。そして、動画像配信サーバ１４は、送信側端末１２により指定された宛先（受信側端末１６）に対して上記動画像再生アプリケーションが格納場所を示す情報を含むダウンロード用メールを送信する。受信側端末１６は、ダウンロード用メールを受信すると、動画像配信サーバ１４にアクセスし、上記動画像再生アプリケーションをダウンロードして再生表示する。【選択図】      図１
2007259095.tif 000002
【特許請求の範囲】
【請求項１】
送信側端末と、動画像配信サーバと、受信側端末とを備え、
前記送信側端末は、
画像データ及びテキストデータを入力するデータ入力手段と、
前記入力された画像データ及びテキストデータの表示の態様を規定するシナリオデータを含む動画像作成プログラムの中から動画像再生アプリケーションの作成に用いるものを選択する選択手段と、
前記受信側端末を特定するための宛先データを入力する宛先入力手段と、
前記入力された画像データ、テキストデータ、宛先データ及び前記選択された動画像作成プログラムを特定するための識別子を前記動画像配信サーバに送信するデータ送信手段とを備え、
前記動画像配信サーバは、
前記識別子により特定される動画像作成プログラムに従って、前記送信側端末から受信した画像データ及びテキストデータを動画像として再生するための動画像再生アプリケーションを作成する動画像作成手段と、
前記動画像再生アプリケーションを前記受信側端末にダウンロードするためのダウンロード用情報を前記宛先データにより特定される受信側端末に送信するダウンロード用情報送信手段とを備え、
前記受信側端末は、
前記ダウンロード用情報を受信するダウンロード用情報受信手段と、
前記受信したダウンロード用情報により、前記動画像再生アプリケーションをダウンロードするダウンロード手段と、
前記動画像再生アプリケーションを実行して前記動画像を再生、表示する表示手段と、
を備えることを特徴とする動画像配信システム。
【請求項２】
送信側端末と、前記送信側端末と通信可能な受信側端末とを備え、
前記送信側端末は、
画像データ及びテキストデータを入力するデータ入力手段と、
前記入力された画像データ及びテキストデータの表示の態様を規定するシナリオデータを含む動画像作成プログラムの中から動画像の作成に用いるものを選択する選択手段と、
前記受信側端末を特定するための宛先データを入力する宛先入力手段と、
前記入力された画像データ、テキストデータ及び前記選択された動画像作成プログラムを特定するための識別子を含む動画像作成用データを作成する動画像作成用データ作成手段と、
前記宛先データにより特定される受信側端末に、前記動画像作成用データを送信するデータ送信手段とを備え、
前記受信側端末は、
前記動画像作成用データを受信するデータ受信手段と、
前記動画像作成用データ中の画像データ及びテキストデータの表示の態様を規定するシナリオデータを含む動画像作成プログラムをその識別子とともに記憶する記憶手段と、
前記記憶手段から、前記動画像作成用データ中の識別子により特定される動画像作成プログラムを取得して、前記取得した動画像作成プログラムに従って、前記送信側端末から受信した画像データ及びテキストデータを再生する動画像を作成する動画像作成手段と、
前記動画像を再生、表示する表示手段と、
を備えることを特徴とする動画像配信システム。
【請求項３】
送信側端末と、前記送信側端末と通信可能な受信側端末とを備え、
前記送信側端末は、
画像データ及びテキストデータを入力するデータ入力手段と、
前記入力された画像データ及びテキストデータの表示の態様を規定するシナリオデータを作成するシナリオデータ作成手段と、
前記受信側端末を特定するための宛先データを入力する宛先入力手段と、
前記入力された画像データ、テキストデータ及び前記シナリオデータを含む動画像作成用データを作成する動画像作成用データ作成手段と、
前記宛先データにより特定される受信側端末に、前記動画像作成用データを送信するデータ送信手段とを備え、
前記受信側端末は、
前記動画像作成用データを受信するデータ受信手段と、
前記動画像作成用データ中のシナリオデータに従って、前記送信側端末から受信した画像データ及びテキストデータを再生する動画像を作成する動画像作成手段と、
前記動画像を再生、表示する表示手段と、
を備えることを特徴とする動画像配信システム。
【請求項４】
前記送信側端末は、前記動画像とともに再生される音声データを選択する音声選択手段を更に備え、
前記受信側端末は、前記音声を出力する音声出力手段を更に備えることを特徴とする請求項１から３のいずれか１項記載の動画像配信システム。
【請求項５】
前記送信側端末が、前記画像データに所定の処理を施す画像処理手段を更に備えることを特徴とする請求項１から４のいずれか１項記載の動画像配信システム。
【請求項６】
前記画像処理手段は、前記画像データに対してトリミング、モノトーン化、色調変化、左右反転、上下反転、回転、拡大、縮小、画像を連続して貼り合わせる処理、画像を複製して重ね合わせる処理、モザイクをかける処理のうち少なくとも１つの処理を施すことを特徴とする請求項５記載の動画像配信システム。
【請求項７】
前記動画像作成手段は、前記動画像を作成する際に、前記画像データに所定の処理を施すことを特徴とする請求項１から４のいずれか１項記載の動画像配信システム。
【請求項８】
前記動画像作成手段は、前記画像データに対してトリミング、モノトーン化、色調変化、左右反転、上下反転、回転、拡大、縮小、画像を連続して貼り合わせる処理、画像を複製して重ね合わせる処理、モザイクをかける処理のうち少なくとも１つの処理を施すことを特徴とする請求項７記載の動画像配信システム。
【請求項９】
前記受信側端末は、
前記表示手段により再生中の動画像の１場面を静止画としてキャプチャするキャプチャ手段と、
前記キャプチャされた静止画をプリンタに出力する出力手段と、
を更に備えることを特徴とする請求項１から８のいずれか１項記載の動画像配信システム。
【請求項１０】
前記出力手段は、赤外線通信、ＬＡＮ、ＦＴＰ又はBluetooth（登録商標）のうち少なくとも１つにより前記キャプチャされた静止画をプリンタに出力することを特徴とする請求項９記載の動画像配信システム。
【発明の詳細な説明】
【技術分野】
【０００１】
本発明は動画像配信システムに係り、特に画像や文字列が合成された動画像コンテンツを配信する技術に関する。
【背景技術】
【０００２】
従来、ユーザが選択した背景画像を特定するための背景画像情報をメールの拡張ヘッダに付加し、上記拡張ヘッダを含むメールデータを作成して送信するメール情報送信・表示方法が提案されている（特許文献１）。また、特許文献２には、１枚の静止画像を種として動画像を生成する画像生成方法について開示されている。
【特許文献１】特開２００１−１６７０１３号公報
【特許文献２】特開２００４−３１０３４２号公報
【発明の開示】
【発明が解決しようとする課題】
【０００３】
上記特許文献１は、メールの拡張ヘッダを用いて背景画像を設定するものであって、メールで多様な表示を実現するものではなかった。また、上記特許文献２は、１枚の静止画像を種として動画像を生成するものであり、生成される動画像の表現力に限界があった。
【０００４】
本発明はこのような事情に鑑みてなされたもので、多様な表現が可能な動画像を配信することができる動画像配信システムを提供することを目的とする。
【課題を解決するための手段】
【０００５】
上記目的を達成するために請求項１に係る動画像配信システムは、送信側端末と、動画像配信サーバと、受信側端末とを備え、前記送信側端末は、画像データ及びテキストデータを入力するデータ入力手段と、前記入力された画像データ及びテキストデータの表示の態様を規定するシナリオデータを含む動画像作成プログラムの中から動画像再生アプリケーションの作成に用いるものを選択する選択手段と、前記受信側端末を特定するための宛先データを入力する宛先入力手段と、前記入力された画像データ、テキストデータ、宛先データ及び前記選択された動画像作成プログラムを特定するための識別子を前記動画像配信サーバに送信するデータ送信手段とを備え、前記動画像配信サーバは、前記識別子により特定される動画像作成プログラムに従って、前記送信側端末から受信した画像データ及びテキストデータを動画像として再生するための動画像再生アプリケーションを作成する動画像作成手段と、前記動画像再生アプリケーションを前記受信側端末にダウンロードするためのダウンロード用情報を前記宛先データにより特定される受信側端末に送信するダウンロード用情報送信手段とを備え、前記受信側端末は、前記ダウンロード用情報を受信するダウンロード用情報受信手段と、前記受信したダウンロード用情報により、前記動画像再生アプリケーションをダウンロードするダウンロード手段と、前記動画像再生アプリケーションを実行して前記動画像を再生、表示する表示手段とを備えることを特徴とする。
【０００６】
請求項１に係る動画像配信システムによれば、カメラ付き携帯電話機等により構成される送信側端末により撮影した画像と、テキストデータを入力して、テンプレートとする動画像作成プログラムを選択するだけで、画像、テキスト及び音楽を所定のシナリオデータに従って再生表示する表現力の高い動画像再生アプリケーションを作成して受信側端末に配信することができる。また、請求項１に係る動画像配信システムによれば、受信者は、動画像再生アプリケーションを受信側端末にダウンロードするかどうかを選択することができる。
【０００７】
請求項２に係る動画像配信システムは、送信側端末と、前記送信側端末と通信可能な受信側端末とを備え、前記送信側端末は、画像データ及びテキストデータを入力するデータ入力手段と、前記入力された画像データ及びテキストデータの表示の態様を規定するシナリオデータを含む動画像作成プログラムの中から動画像の作成に用いるものを選択する選択手段と、前記受信側端末を特定するための宛先データを入力する宛先入力手段と、前記入力された画像データ、テキストデータ及び前記選択された動画像作成プログラムを特定するための識別子を含む動画像作成用データを作成する動画像作成用データ作成手段と、前記宛先データにより特定される受信側端末に、前記動画像作成用データを送信するデータ送信手段とを備え、前記受信側端末は、前記動画像作成用データを受信するデータ受信手段と、前記動画像作成用データ中の画像データ及びテキストデータの表示の態様を規定するシナリオデータを含む動画像作成プログラムをその識別子とともに記憶する記憶手段と、前記記憶手段から、前記動画像作成用データ中の識別子により特定される動画像作成プログラムを取得して、前記取得した動画像作成プログラムに従って、前記送信側端末から受信した画像データ及びテキストデータを再生する動画像を作成する動画像作成手段と、前記動画像を再生、表示する表示手段とを備えることを特徴とする。
【０００８】
請求項２に係る動画像配信システムによれば、画像、テキスト及び音楽を所定のシナリオデータに従って再生表示することができ、表現力の高い動画像再生アプリケーションを配信できる。また、請求項２に係る動画像配信システムによれば、動画像再生するための動画像再生アプリケーションを送信側端末と受信側端末との間で送受信する必要がないため、通信に要するコストを削減することができるとともに、受信側端末に動画像再生アプリケーションが蓄積されてメモリが圧迫されることがない。
【０００９】
請求項３に係る動画像配信システムは、送信側端末と、前記送信側端末と通信可能な受信側端末とを備え、前記送信側端末は、画像データ及びテキストデータを入力するデータ入力手段と、前記入力された画像データ及びテキストデータの表示の態様を規定するシナリオデータを作成するシナリオデータ作成手段と、前記受信側端末を特定するための宛先データを入力する宛先入力手段と、前記入力された画像データ、テキストデータ及び前記シナリオデータを含む動画像作成用データを作成する動画像作成用データ作成手段と、前記宛先データにより特定される受信側端末に、前記動画像作成用データを送信するデータ送信手段とを備え、前記受信側端末は、前記動画像作成用データを受信するデータ受信手段と、前記動画像作成用データ中のシナリオデータに従って、前記送信側端末から受信した画像データ及びテキストデータを再生する動画像を作成する動画像作成手段と、前記動画像を再生、表示する表示手段とを備えることを特徴とする。
【００１０】
請求項３に係る動画像配信システムによれば、送信側端末においてシナリオデータを作成できるため、より表現力の高い動画像を配信することができる。
【００１１】
請求項４に係る動画像配信システムは、請求項１から３において、前記送信側端末は、前記動画像とともに再生される音声データを選択する音声選択手段を更に備え、前記受信側端末は、前記音声を出力する音声出力手段を更に備えることを特徴とする。
【００１２】
請求項４に係る動画像配信システムによれば、前記動画像とともに音声を出力することができるので、より表現力の高い動画像を配信することができる。
【００１３】
請求項５に係る動画像配信システムは、請求項１から４において、前記送信側端末が、前記画像データに所定の処理を施す画像処理手段を更に備えることを特徴とする。
【００１４】
請求項５に係る動画像配信システムによれば、送信側端末において動画像の作成に用いる画像に画像処理を施すことができ、より表現力の高い動画像を作成することができる。
【００１５】
請求項６に係る動画像配信システムは、請求項５において、前記画像処理手段は、前記画像データに対してトリミング、モノトーン化、色調変化、左右反転、上下反転、回転、拡大、縮小、画像を連続して貼り合わせる処理、画像を複製して重ね合わせる処理、モザイクをかける処理のうち少なくとも１つの処理を施すことを特徴とする。請求項６は、請求項５の処理の内容について限定したものである。
【００１６】
請求項７に係る動画像配信システムは、請求項１から４において、前記動画像作成手段は、前記動画像を作成する際に、前記画像データに所定の処理を施すことを特徴とする。
【００１７】
請求項７に係る動画像配信システムによれば、動画像の作成に用いる画像に画像処理を施すことができ、より表現力の高い動画像を作成することができる。
【００１８】
請求項８に係る動画像配信システムは、請求項７において、前記動画像作成手段は、前記画像データに対してトリミング、モノトーン化、色調変化、左右反転、上下反転、回転、拡大、縮小、画像を連続して貼り合わせる処理、画像を複製して重ね合わせる処理、モザイクをかける処理のうち少なくとも１つの処理を施すことを特徴とする。請求項８は、請求項７の処理の内容について限定したものである。
【００１９】
請求項９に係る動画像配信システムは、請求項１から８において、前記受信側端末は、前記表示手段により再生中の動画像の１場面を静止画としてキャプチャするキャプチャ手段と、前記キャプチャされた静止画をプリンタに出力する出力手段とを更に備えることを特徴とする。
【００２０】
請求項９に係る動画像配信システムによれば、送信側端末から受信した動画像の所望の１場面をキャプチャしてプリントすることができる。
【００２１】
請求項１０に係る動画像配信システムは、請求項９において、前記出力手段は、赤外線通信、ＬＡＮ、ＦＴＰ又はBluetooth（登録商標）のうち少なくとも１つにより前記キャプチャされた静止画をプリンタに出力することを特徴とする。請求項１０は、受信側端末とプリンタとの通信手段について限定したものである。
【発明の効果】
【００２２】
本発明によれば、カメラ付き携帯電話機等により構成される送信側端末により撮影した画像と、テキストデータを入力して、テンプレートとする動画像作成プログラムを選択するだけで、画像、テキスト及び音楽を所定のシナリオデータに従って再生表示する表現力の高い動画像再生アプリケーションを容易な手段で作成して受信側端末に配信することができる。
【発明を実施するための最良の形態】
【００２３】
以下、添付図面に従って本発明に係る動画像配信システムの好ましい実施の形態について説明する。
【００２４】
［動画像配信システムの第１の実施形態］
図１は、本発明の第１の実施形態に係る動画像配信システムを模式的に示す図である。図１に示すように、本実施形態の動画像配信システム１０は、送信側端末１２、動画像配信サーバ１４及び受信側端末１６により構成される。送信側端末１２及び受信側端末１６は、例えば、電子メールの送受信機能を有する携帯電話機や携帯情報端末（ＰＤＡ）である。動画像の送信者は、送信側端末１２により、動画像配信サーバ１４に画像データやテキストデータ等の動画像再生アプリケーションの作成に使用するデータをアップロードするとともに、動画像再生アプリケーションの作成する際にテンプレートとして使用する動画像作成プログラムを選択する。動画像配信サーバ１４は、上記選択された動画像作成プログラムを上記アップロードされたデータに適用して動画像再生アプリケーションを作成して所定の記憶領域に格納する。そして、動画像配信サーバ１４は、送信側端末１２により指定された宛先（受信側端末１６）に対して上記動画像再生アプリケーションが格納場所を示す情報（ダウンロード用ＵＲＬ）を含むダウンロード用メールを送信する。受信側端末１６は、ダウンロード用メールを受信すると、上記ダウンロード用ＵＲＬにより動画像配信サーバ１４にアクセスし、上記動画像再生アプリケーションをダウンロードして再生表示する。なお、動画像配信サーバ１４は、あらかじめ受信側端末１６の機種ごとに再生可能な動画像再生アプリケーションを作成しておき、アクセスしてきた受信側端末１６の機種情報を取得して、上記機種情報に対応する動画像再生アプリケーションを配信するようにしてもよい。
【００２５】
［送信側端末１２及び受信側端末１６の構成］
図２は、送信側端末１２及び受信側端末１６を構成する携帯電話機の主要構成を示すブロック図である。図２に示す携帯電話機は、ＣＰＵ２０、通信インターフェース部（通信Ｉ／Ｆ）２２、操作部２４、カメラ２６、表示部２８、スピーカ３０、マイク３２及びメモリ３４を備える。ＣＰＵ２０は、バス３６を介して携帯電話機内の各ブロックと接続されており、各ブロックの動作制御を行う。通信Ｉ／Ｆ２２は、ネットワークを介して通信するためのブロックである。この携帯電話機は、通信Ｉ／Ｆ２２を介して電子メールの送受信を行うことができる。操作部２４は、ユーザからの操作入力を受け付けるボタンを備える。カメラ２６は、画像を撮影するための装置である。表示部２８は、カメラ２６によって撮影された画像や、画像等を用いて生成されたコンテンツを表示するモニタである。なお、上記携帯電話機では、カメラ２６により撮影した画像やネットワーク等を介して取得した画像に対して、所定の処理（例えば、トリミング、モノトーン化、色調変化、左右反転、上下反転、回転、拡大、縮小、画像を連続して貼り合わせる処理、画像を複製して重ね合わせる処理、モザイクをかける処理等）を施すことができる。また、スピーカ３０は通話時やコンテンツ再生時に音声を出力する装置であり、マイク３２は通話時等に音声を入力する装置である。メモリ３４は、ＣＰＵ２０が処理するプログラム及び制御に必要な各種データ等が格納されるＲＯＭや、カメラ２６によって撮影された画像等が記憶される記憶領域及びＣＰＵ２０が各種の演算処理等を行う作業用領域となるＳＤＲＡＭ等を含んでいる。
【００２６】
［動画像配信サーバ１４の構成］
図３は、動画像配信サーバ１４の主要構成を示すブロック図である。図３に示すように、動画像配信サーバ１４は、通信部５０、動画像作成部５２、動画像再生アプリケーション格納部５４、ダウンロード用メール送信部５６、ダウンロード認証部５８、機種認識部６０及び動画像再生アプリケーション配信部６２を備える。
【００２７】
通信部５０は、送信側端末１２及び受信側端末１６と通信するためのブロックである。通信部５０は、送信側端末１２からのアクセスに応じて、動画像作成・配信用ＵＩを送信する。そして、通信部５０は、上記動画像作成・配信用ＵＩを介して、画像データやテキストデータ等の動画像再生アプリケーションの作成に使用するデータのアップロードを受け付けるとともに、動画像再生アプリケーションの作成に使用する動画像作成プログラムの選択を受け付ける。また、通信部５０は、上記動画像作成・配信用ＵＩを介して、動画再生アプリケーションの宛先の電子メールアドレスの入力を受け付ける。
【００２８】
動画像作成部５２は、上記アップロードされた画像データ及びテキストデータに、上記選択された動画像作成用プログラムを適用して動画像再生アプリケーションを作成する。動画像作成用プログラムは、アップロードされた画像データやテキストデータの表示のタイミング、エフェクト（例えば、画像、文字列の移動、回転、色変化、装飾、点滅、効果音）を規定するシナリオデータを含んでおり、上記アップロードされたデータにこのシナリオデータを適用することにより、動画像再生アプリケーションを作成する。なお、動画像作成部５２は、アップロードされた画像データに対して、動画像作成プログラムにより指定される所定の処理（例えば、トリミング、モノトーン化、色調変化、左右反転、上下反転、回転、拡大、縮小、画像を連続して貼り合わせる処理、画像を複製して重ね合わせる処理、モザイクをかける処理等）を施す。また、アップロードされた画像データの数が、選択された動画像作成プログラムを用いて動画像を作成するのに必要な数に満たない場合には、上記したような処理を施して画像データの数を充当するようにしてもよい。
【００２９】
動画像再生アプリケーション格納部５４は、作成された動画像再生アプリケーションを格納する。なお、動画像再生アプリケーションは、受信側端末１６の機種ごとに再生に好適なサイズ、フォーマットのものが複数作成される。
【００３０】
ダウンロード用メール送信部５６は、上記送信側端末１２によって指定された宛先（受信側端末１６）に対して、上記動画像作成用アプリケーションの格納場所を示すダウンロード用ＵＲＬを含む電子メール（ダウンロード用メール）を送信する。受信側端末１６は、このダウンロード用ＵＲＬにより動画像作成用アプリケーションの格納場所にアクセスして、動画像再生アプリケーションをダウンロードすることができる。
【００３１】
ダウンロード認証部５８は、受信側端末１６からの動画像作成用アプリケーションのダウンロード要求を受け付けてダウンロードを許可するかどうかの認証を行う。本実施形態では、例えば、受信側端末１６を特定するための情報（例えば、電子メールアドレスやＩＰアドレス等）を上記ダウンロード用ＵＲＬに含ませておき、受信側端末１６以外の端末へのダウンロードを制限するようにしてもよい。
【００３２】
機種認識部６０は、上記受信側端末１６の機種情報（例えば、携帯電話機の処理能力、再生可能なファイルフォーマット、表示部２８のサイズ、色数等）を取得する。動画像再生アプリケーション配信部６２は、受信側端末１６の機種に応じて、再生に好適な動画像再生アプリケーションを選択して、受信側端末１６に配信する。
【００３３】
［送信側ＵＩ］
図４は、動画像配信サーバ１４により送信側端末１２に表示される操作ＵＩを示す図である。図４（ａ）に示すように、新規メール作成画面において、動画像再生アプリケーションを送信する宛先の電子メールアドレス、動画像再生アプリケーションのダウンロード用メールのタイトル及び送信者の名前が対応する入力欄に入力される。また、図４（ａ）において、「テンプレート」ボタンがクリックされると、動画像作成用プログラム（テンプレート）が一覧表示され、操作部２４からの操作入力により動画像再生アプリケーションの作成に使用する動画像作成用プログラムが選択される。
【００３４】
図４（ａ）の「作成開始」ボタンがクリックされると、図４（ｂ）に示す画像・テキスト入力画面に移行する。図４（ｂ）において、「撮影する」ボタンがクリックされると、送信側端末１２がカメラ２６により画像を撮影するカメラモードに移行し、撮影された画像が動画像作成用の画像に設定される。一方、「画像選択」ボタンがクリックされると、送信側端末１２内に記憶された画像が一覧表示され、操作部２４からの操作入力により動画像作成用の画像が選択される。そして、撮影又は選択された動画像作成用の画像データに動画像作成用プログラムが適用されて、送信側端末１２に表示するための動画像が作成される。図４（ｂ）に示すように、動画像が表示される動画像表示領域Ａ１０の上側には動画をコマ送りするための「前ページ」ボタン及び「次ページ」ボタンが設けられている。また、動画像表示領域Ａ１０の下側には、テキスト入力欄が設けられており、動画像とともに表示されるメッセージを入力することができる。なお、メッセージの挿入箇所は、「前ページ」ボタン及び「次ページ」ボタンにより、動画像の場面を進行させることにより選択することができる。
【００３５】
図４（ｂ）の「送信」ボタンがクリックされると、図４（ｃ）の送信確認画面に移行する。そして、図４（ｃ）の「ＯＫ」ボタンがクリックされると、上記画像データ及びテキストデータ（タイトル、送信者名及びメッセージのテキスト）、選択された動画像作成用プログラム、宛先のアドレスのデータが動画像配信サーバ１４にアップロードされ、動画像再生アプリケーションが作成される。そして、動画像再生アプリケーションのダウンロード用メールが受信側端末１６に送信される。
【００３６】
［受信側ＵＩ］
図５は、受信側端末１６における操作ＵＩを示す図である。図５（ａ）は、動画像再生アプリケーションのダウンロード用メールを示す図であり、ダウンロード用ＵＲＬが記載されている。図５（ａ）においてダウンロード用ＵＲＬがクリックされると、図５（ｂ）に示すように、ダウンロード用ＵＲＬにより指定されるウェブページが受信側端末１６の表示部２８に表示される。図５（ｂ）において「ダウンロード」ボタンがクリックされると、受信側端末１６に動画像再生アプリケーションがダウンロードされて、図５（ｃ）に示すように、受信側端末１６において、動画像再生アプリケーションが再生表示される。
【００３７】
なお、図５において、「返信」ボタンは上記ダウンロード用メールに対する返信メールを作成するときにクリックするボタンであり、「決定」ボタンはダウンロード用ＵＲＬやメールアドレス等をクリックするときに用いるボタンであり、「サブメニュー」ボタンはメニューを表示させるためのボタンである。また、図５（ｃ）の「プリント」ボタンについては後述する。
【００３８】
［送信側端末１２の処理］
次に、動画像再生アプリケーションを作成、配信する処理の流れについて、図６から図８を参照して説明する。図６は、送信側端末１２における処理の流れを示すフローチャートである。まず、送信側端末１２が動画像配信サーバ１４にアクセスして（ステップＳ１０）、図４（ａ）に示した新規メール作成画面が表示部２８に表示される（ステップＳ１２）。そして、上記新規メール作成画面において、動画像再生アプリケーションを送信する宛先の電子メールアドレス等が入力されて（ステップＳ１４）、操作部２４からの操作入力により動画像再生アプリケーションの作成に使用する動画像作成用プログラムが選択される（ステップＳ１６）。次に、図４（ｂ）に示した画像・テキスト入力画面において、動画像作成用の画像及びメッセージのテキストデータが入力されて（ステップＳ１８）、上記宛先の電子メールアドレス及び選択された動画像作成プログラムの情報等とともに動画像配信サーバ１４にアップロードされる（ステップＳ２０）。
【００３９】
［動画像配信サーバ１４の処理］
図７は、動画像配信サーバ１４における処理の流れを示すフローチャートである。まず、送信側端末１２から動画像の作成、配信用のデータのアップロードを受け付ける（ステップＳ３０）。次に、上記動画像作成用の画像データ及びテキストデータに動画像作成プログラムを適用することにより、動画像再生アプリケーションが作成され、動画像再生アプリケーション格納部５４に格納される（ステップＳ３２）。そして、上記動画像再生アプリケーションの格納場所を示すダウンロード用ＵＲＬを含むダウンロード用メールが、上記送信側端末１２により指定された宛先の電子メールアドレスに送信される（ステップＳ３４）。
【００４０】
［受信側端末１６の処理］
図８は、受信側端末１６における処理の流れを示すフローチャートである。まず、受信側端末１６によりダウンロード用メールが受信、表示され（図５（ａ）参照）、ダウンロード用ＵＲＬがクリックされる（ステップＳ５０）。すると、受信側端末１６から動画像配信サーバ１４へのアクセスが開始され、上記図５（ｂ）により動画像再生アプリケーションが受信側端末１６にダウンロードされて（ステップＳ５２）、再生表示される（ステップＳ５４）。
【００４１】
本実施形態によれば、カメラ付き携帯電話機等により撮影した画像と、テキストデータを入力して、テンプレートとする動画像作成プログラムを選択するだけで、画像、テキスト及び音楽を所定のシナリオデータに従って再生表示する表現力の高い動画像再生アプリケーションを受信側端末１６に配信することができる。また、本実施形態によれば、受信者は、動画像再生アプリケーションをダウンロードするかどうかを選択することができる。
【００４２】
［動画像配信システムの第２の実施形態］
図９は、本発明の第２の実施形態に係る動画像配信システムを模式的に示す図である。図９に示すように、本実施形態の動画像配信システム７０は、送信側端末７２及び受信側端末７６により構成され、送信側端末７２と受信側端末７６はネットワーク７４を介して相互に通信可能となっている。送信側端末７２及び受信側端末７６は、例えば、電子メールの送受信機能を有する携帯電話機や携帯情報端末（ＰＤＡ）である。
【００４３】
［送信側端末７２の構成］
図１０は、送信側端末７２の主要構成を示すブロック図である。図１０に示すように、本実施形態の送信側端末７２は、シナリオ記憶部８０、画像取得部８２、操作部８４、８６及び通信部８８を備える。
【００４４】
シナリオ記憶部８０は、シナリオデータを所定のシナリオ識別子とともに記憶している。シナリオデータは、送信者によって指定された画像データやテキストデータの表示のタイミング、エフェクト（例えば、画像、文字列の移動、回転、色変化、装飾、点滅、効果音）を規定するシナリオデータを記憶している。
【００４５】
画像取得部８２は、動画像の作成に用いる画像データを取得するためのブロックであり、外部機器（ＰＣ）やネットワーク７４を介して取得した画像や、画像を撮影するためのカメラを含んでいる。
【００４６】
操作部８４は、送信者がテキスト（文字列）データを入力するための操作ＵＩを含んでいる。送信側端末７２から受信側端末７６に動画像を配信する際には、この操作部８４により、宛先の電子メールアドレス、動画像のタイトル及び送信者の名前等が入力されるとともに、動画像の作成に用いるシナリオデータが選択される。また、操作部８４により動画像の作成に用いる画像データ及びテキストデータが選択される。また、この操作部８４により、上記選択された画像データに対して、所定の処理（例えば、トリミング、モノトーン化、色調変化、左右反転、上下反転、回転、拡大、縮小、画像を連続して貼り合わせる処理、画像を複製して重ね合わせる処理、モザイクをかける処理等）を施すことができる。
【００４７】
動画像作成用データ生成部８６は、受信側端末７６において動画像を作成表示するための動画像作成用データを作成する。図１１に示すように、動画像作成用データ９０は、上記入力された動画像のタイトル、送信者の名前、選択シナリオ特定データ、画像データ及びテキストデータを含んでいる。選択シナリオ特定データは、選択された動画像を特定するためのデータであり、上記選択されたシナリオデータに対応するシナリオ識別子を含んでいる。なお、この動画像作成用データは、例えば、ＳＭＩＬ（スマイル）、ＸＭＬ、ＨＴＭＬ等の言語により記述される。上記動画像作成用データ生成部８６により作成された動画像作成用データ９０は、通信部８８により上記宛先の電子メールアドレスにより特定される受信側端末７６に送信される。
【００４８】
［受信側端末７６の構成］
図１２は、受信側端末７６の主要構成を示すブロック図である。図１２に示すように、本実施形態の受信側端末７６は、シナリオ記憶部１００、通信部１０２、動画像作成用データ解析部１０４及び表示部１０６を備える。
【００４９】
シナリオ記憶部１００は、上記した送信側端末７２のシナリオ記憶部８０と同等のものであり、シナリオデータを所定のシナリオ識別子とともに記憶している。上記シナリオデータとシナリオ識別子の対応関係は、上記シナリオ記憶部８０に記憶されているものと共通である。
【００５０】
通信部１０２は、ネットワーク７４やプリンタとの間で通信を行うためのブロックであり、送信側端末７２から動画像作成用データ９０を受信する。動画像作成用データ解析部１０４は、上記受信した動画像作成用データ９０を解析する。そして、動画像作成用データ解析部１０４は、動画像作成用データ９０中の選択シナリオ特定データによって特定されたシナリオデータをシナリオ記憶部１００から取得する。そして、動画像作成用データ解析部１０４は、上記取得したシナリオデータに従って、動画像作成用データ９０中の画像データ及びテキストデータを表示部１０６に再生、表示させる。なお、動画像作成用データ解析部１０４は、上記画像データを表示部１０６に表示させる際に、動画像作成用データ中の画像データに対して、上記シナリオデータにより指定される所定の処理（例えば、トリミング、モノトーン化、色調変化、左右反転、上下反転、回転、拡大、縮小、画像を連続して貼り合わせる処理、画像を複製して重ね合わせる処理、モザイクをかける処理等）を施す。また、動画像作成用データ解析部１０４は、上記動画像作成用データ９０に含まれる動画像のタイトル及び送信者の名前を表示部１０６に表示させる。
【００５１】
［送信側端末７２の処理］
次に、本実施形態の動画像配信システム７０により動画像再生アプリケーションを作成、配信する処理の流れについて、図１３及び図１４を参照して説明する。図１３は、送信側端末７２における処理の流れを示すフローチャートである。まず、送信側端末７２において、電子メールの作成用のアプリケーションが起動される。そして、操作部８４により、宛先の電子メールアドレスや、タイトル、送信者の名前等が入力される（ステップＳ６０）。また、送信側端末７２において、シナリオ記憶部８０に記憶されたシナリオデータが一覧表示されて、操作部８４により動画像の作成に用いるシナリオデータが選択される（ステップＳ６２）。
【００５２】
次に、画像取得部８２により動画像の作成に用いる画像データが取得されるとともに、操作部８４によりテキストデータが入力される（ステップＳ６４）。そして、上記入力された動画像のタイトル、送信者の名前、選択シナリオ特定データ、画像データ及びテキストデータを含む動画像作成用データ９０が作成されて、上記宛先電子メールアドレスにより特定される受信側端末７６に送信される（ステップＳ６６）。
【００５３】
［受信側端末７６の処理］
図１４は、受信側端末７６における処理の流れを示すフローチャートである。まず、通信部１０２により、送信側端末７２から動画像作成用データ９０を受信する（ステップＳ７０）。そして、上記動画像作成用データ解析部１０４により、動画像作成用データ９０が解析されて（ステップＳ７２）、動画像作成用データ解析部１０４により、動画像作成用データ９０中の選択シナリオ特定データによって特定されたシナリオデータがシナリオ記憶部１００から取得され、上記シナリオデータに従って画像データ及びテキストデータが表示部１０６に再生、表示される。また、動画像作成用データ解析部１０４により、上記動画像作成用データ９０に含まれる動画像のタイトル及び送信者の名前が表示部１０６に表示される（ステップＳ７４）。
【００５４】
本実施形態によれば、画像、テキスト及び音楽を所定のシナリオデータに従って再生表示することができ、表現力の高い動画像再生アプリケーションを配信できる。また、本実施形態によれば、動画像再生するための動画像再生アプリケーションを送信側端末７２と受信側端末７６との間で送受信する必要がないため、通信に要するコストを削減することができるとともに、受信側端末７６に動画像再生アプリケーションが蓄積されてメモリが圧迫されることがない。
【００５５】
［動画像配信システムの第３の実施形態］
なお、上記第２の実施形態では、送信側端末７２及び受信側端末７６のシナリオ記憶部（８０、１００）に含まれるシナリオデータの中から動画像の作成に用いるシナリオデータを選択するようにしたが、動画像配信プログラムに含まれるもの以外のシナリオデータを送信側端末において作成して、上記動画像作成用データに含めて送信できるようにしてもよい。
【００５６】
図１５は、本発明の第３の実施形態に係る送信側端末の主要構成を示すブロック図である。なお、以下の説明において、上記図１０と同様の構成については、同一の符号を付して説明を省略する。図１５に示すように、本実施形態の送信側端末７２´はシナリオ作成部１０８を更に備える。シナリオ作成部１０８は、操作部８４からの入力に従って、送信者によって指定された画像データやテキストデータの表示のタイミング、エフェクト（例えば、画像、文字列の移動、回転、色変化、装飾、点滅、効果音）を規定するシナリオデータを作成する。
【００５７】
図１６は、シナリオデータを模式的に示す図である。図１６に示すシナリオデータ９２は、画像及びテキストデータとその表示される時間、及び表示位置の座標を規定しており、例えば、ＳＭＩＬ（スマイル）、ＸＭＬ、ＨＴＭＬ等の言語により記述される。
【００５８】
動画像作成用データ生成部８６は、図１７に示すように、選択シナリオ特定データに代えてシナリオデータ９２を含む動画像作成用データ９０´を作成する。この動画像作成用データ９０´は、通信部８６により受信側端末７６´に送信される。
【００５９】
図１８は、本発明の第３の実施形態に係る受信側端末の主要構成を示すブロック図である。なお、以下の説明において、上記図１２と同様の構成については、同一の符号を付して説明を省略する。図１８に示すように、本実施形態の受信側端末７６´はシナリオ解析部１１０を更に備える。シナリオ取得部１１０は、上記動画像作成用データ９０´を解析してシナリオデータ９２を取得する。そして、動画像作成用データ解析部１０４は、上記取得したシナリオデータに従って、動画像作成用データ９０´中の画像データ及びテキストデータを表示部１０６に再生、表示させる。
【００６０】
本実施形態によれば、送信側端末７２′においてシナリオデータ９２を作成できるため、より表現力の高い動画像を配信することができる。
【００６１】
［動画像をプリンタに出力する例］
次に、受信側端末により再生された動画像を出力する例について説明する。図１９は、受信側端末で再生中の動画像を出力するプリンタを模式的に示す図である。図１９に示すように、プリンタ１２０は、受信側端末（１６、７６、７６´）から受信したプリント用の静止画データをプリント用紙１２２に印刷する装置であり、赤外線ポート１２４及び操作パネル１２６を備える。
【００６２】
赤外線ポート１２４は、赤外線通信により、受信側端末からプリント用の静止画データを受信するための装置である。なお、受信側端末とプリンタ１２０との間の接続する手段としては、上記した赤外線通信のほか、ＬＡＮ（有線、無線）やＦＴＰ、Bluetooth（登録商標）等を用いてもよい。
【００６３】
操作パネル１２６は、電源のオン／オフを制御する電源ボタンや、受信した静止がデータを繰り返し印刷するためのリプリントボタン、プリンタ１２０内のプリント用紙１２２の残り枚数を表示する表示窓を備える。
【００６４】
図２０は、受信側端末により動画像をプリンタに出力する処理の流れを示すフローチャートである。まず、受信側端末（１６、７６、７６´）において、動画像が表示される（ステップＳ８０）。動画の再生中において「プリント」ボタン（図４（ｃ）参照）がクリックされると（ステップＳ８２のＹｅｓ）、再生中の動画像がキャプチャされ、プリント用の静止画データとして受信側端末のメモリに一時保存される（ステップＳ８４）。そして、キャプチャされたプリント用の静止画データが通信部を介してプリンタ１２０に出力される（ステップＳ８６）。
【００６５】
本実施形態によれば、受信した動画像の所望の１場面をプリントして保存することができる。
【００６６】
なお、プリンタ１２０に出力された静止画データは、メモリから削除されるようにしてもよいし、受信側端末内に保存できるようにしてもよい。
【図面の簡単な説明】
【００６７】
【図１】本発明の第１の実施形態に係る動画像配信システムを模式的に示す図
【図２】送信側端末１２及び受信側端末１６を構成する携帯電話機の主要構成を示すブロック図
【図３】動画像配信サーバ１４の主要構成を示すブロック図
【図４】動画像配信サーバ１４により送信側端末１２に表示される操作ＵＩを示す図
【図５】受信側端末１６における操作ＵＩを示す図
【図６】送信側端末１２における処理の流れを示すフローチャート
【図７】動画像配信サーバ１４における処理の流れを示すフローチャート
【図８】受信側端末１６における処理の流れを示すフローチャート
【図９】本発明の第２の実施形態に係る動画像配信システムを模式的に示す図
【図１０】送信側端末７２の主要構成を示すブロック図
【図１１】動画像作成用データ９０を模式的に示す図
【図１２】受信側端末７６の主要構成を示すブロック図
【図１３】送信側端末７２における処理の流れを示すフローチャート
【図１４】受信側端末７６における処理の流れを示すフローチャート
【図１５】本発明の第３の実施形態に係る送信側端末の主要構成を示すブロック図
【図１６】シナリオデータを模式的に示す図
【図１７】動画像作成用データ９０´を模式的に示す図
【図１８】本発明の第３の実施形態に係る受信側端末の主要構成を示すブロック図
【図１９】受信側端末で再生中の動画像を出力するプリンタを模式的に示す図
【図２０】受信側端末により動画像をプリンタに出力する処理の流れを示すフローチャート
【符号の説明】
【００６８】
１０…動画像配信システム、１２…送信側端末、１４…動画像配信サーバ、１６…受信側端末、２０…ＣＰＵ、２２…通信インターフェース部、２４…操作部、２６…カメラ、２８…表示部、３０…スピーカ、３２…マイク、３４…メモリ、３６…バス、５０…通信部、５２…動画像作成部、５４…動画像再生アプリケーション格納部、５６…ダウンロード用メール送信部、５８…ダウンロード認証部、６０…機種認識部、６２…動画像再生アプリケーション配信部、７０…動画像配信システム、７２…送信側端末、７４…ネットワーク、７６…受信側端末、８０…シナリオ記憶部、８２…画像取得部、８４…操作部、８６…動画像作成用データ生成部、８８…通信部、９０…動画像作成用データ、１００…シナリオ記憶部、１０２…通信部、１０４…動画像作成用データ解析部、１０６…表示部、７２´…送信側端末、１０８…シナリオ作成部、９０´…動画像作成用データ、９２…シナリオデータ、７６´…受信側端末、１１０…シナリオ取得部、１２０…プリンタ、１２２…プリント用紙、１２４…赤外線ポート、１２６…操作パネル
【図１】
2007259095.tif 000003
【図２】
2007259095.tif 000004
【図３】
2007259095.tif 000005
【図４】
2007259095.tif 000006
【図５】
2007259095.tif 000007
【図６】
2007259095.tif 000008
【図７】
2007259095.tif 000009
【図８】
2007259095.tif 000010
【図９】
2007259095.tif 000011
【図１０】
2007259095.tif 000012
【図１１】
2007259095.tif 000013
【図１２】
2007259095.tif 000014
【図１３】
2007259095.tif 000015
【図１４】
2007259095.tif 000016
【図１５】
2007259095.tif 000017
【図１６】
2007259095.tif 000018
【図１７】
2007259095.tif 000019
【図１８】
2007259095.tif 000020
【図１９】
2007259095.tif 000021
【図２０】
2007259095.tif 000022